【事件の表示】
　特願２０００−４０３５３１「粒状の動物用排泄物処理材及び製造方法」拒絶査定不服審判事件〔平成１４年　７月１６日出願公開、特開２００２−１９９８２４〕について、次のとおり審決する。
【結　論】
　本件審判の請求は、成り立たない。
【理　由】
１．手続の経緯
　本願は、平成１２年１２月２８日の出願であって、平成１７年１月１７日付で拒絶査定がなされ、これに対して平成１７年２月２４日に拒絶査定不服審判の請求および手続補正がなされるとともに、その後平成１７年３月２８日に手続補正がなされたものである。
　
２．平成１７年３月２８日付の手続補正についての補正却下の決定
［補正却下の決定の結論］
　平成１７年３月２８日付の手続補正を却下する。
［理由］
（１）補正後の本願発明
　本件補正は、平成１７年２月２４日付手続補正書により補正された特許請求の範囲の請求項１を、
「トイレットペーパー廃材、ティッシュペーパー廃材、化粧紙廃材、紙ナプキン廃材、ちり紙廃材、紙綿廃材、紙タオル廃材又は便座シート廃材等の動物用排泄物処理材の廃材、寝具用シーツ廃材、マスク廃材、アイマスク廃材、座席用ヘッドカバー廃材、枕カバー廃材、紙おむつ廃材、生理用ナプキン廃材、動物用紙おむつ廃材、動物用生理用ナプキン廃材、乳パッド廃材、汗パッド廃材、失禁パッド廃材、動物用シーツ廃材、鮮魚輸送用ラミネート紙廃材若しくは野菜輸送用ラミネート紙廃材、ラミネート紙の印刷屑、ラミネート紙の端屑、バフ粉、ダンボール屑、新聞屑、雑誌屑、木材屑、鉋屑若しくは不織布屑又はこれら二以上の廃材を含むもの、及び０．３重量％以上のコーヒー抽出液の乾燥固形物を含有して粒状に形成されている芯部と、繊維質の廃棄物、吸水性樹脂及び０．３重量％以上のコーヒー抽出液の乾燥固形物を含有して前記芯部を被覆する被覆層部とを有して粒状に形成されていることを特徴とする粒状の動物用排泄物処理材。」
　と補正することを含むものである。
　上記補正は、補正前の特許請求の範囲の請求項１に記載した発明を特定するために必要な事項である「コーヒー抽出液の乾燥固形物」について、「０．１重量％以上」から、「０．３重量％以上」に数値範囲を限定するものであって、特許法第１７条の２第４項第２号の特許請求の範囲の減縮を目的とするものに該当する。
　そこで、本件補正後の請求項１に記載された発明（以下、「本件補正発明」という。）が特許出願の際独立して特許を受けることができるものであるか（平成１８年改正前特許法第１７条の２第５項の規定に適合するか）について以下検討する。
　
（２）刊行物に記載された事項
（２−１）原査定の拒絶の理由に引用され、本願出願前に頒布された刊行物である、特開平１０−６６４６６号公報には、「動物の排泄物処理材及びその製造方法」に関して、次の記載がある。
（イ）「【特許請求の範囲】
【請求項１】  焙煎コーヒー豆のコーヒー抽出液抽出残渣、前記焙煎コーヒー豆のコーヒー抽出液抽出残渣より少ない量の配合物質及び着色物質を含有する１ミリメートル以上の粒径を有する造粒物と、前記造粒物の表面に付着している着色物質及び接着能を有する配合物質とを包含していることを特徴とする動物の排泄物処理材。
【請求項２】  焙煎コーヒー豆のコーヒー抽出液抽出残渣、前記焙煎コーヒー豆のコーヒー抽出液抽出残渣より少ない量の配合物質及び着色物質を含有する１ミリメートル以上の粒径を有する造粒物と、前記造粒物の表面に付着している着色物質及び接着能を有する配合物質と、前記造粒物の表面に付着の着色物質及び接着能を有する配合物質の上に付着する着色物質及び配合物質とを包含していることを特徴とする動物の排泄物処理材。
【請求項３】  配合物質が、紙粉、製紙用パルプ、活性炭入りパルプ廃物、茶殻、パルプスラッジ、製紙スラッジ、ポリビニルアルコール、小麦粉、おから、コーンスターチ、カルボキシメチルセルロース、ゼラチン、高吸水性樹脂、ビニルエステル、澱粉、カルボキシメチルセルロース、ベントナイト又はゼオライト或はこれら２種以上の混合物であることを特徴とする請求項１又は請求項２に記載の動物の排泄物処理材。
・・・
【請求項５】  造粒物において、配合物質が、高吸水性樹脂であり、着色物質が紙粉であり、前記造粒物に付着する材料が、着色物質の紙粉及び接着能を有する配合物質のポリビニルアルコールであることを特徴とする請求項１に記載の動物の排泄物処理材。
【請求項６】  造粒物において、配合物質が、高吸水性樹脂であり、着色物質が紙粉であり、前記乾燥造粒物に付着する材料が、着色物質の紙粉及び接着能を有する配合物質のポリビニルアルコールであり、前記造粒物の表面に付着している着色物質の紙粉及び接着能を有する配合物質のポリビニルアルコールの上に付着する材料が、着色物質の紙粉及び配合物質の高吸水性樹脂であることを特徴とする請求項２に記載の動物の排泄物処理材。
【請求項７】  造粒物が、焙煎コーヒー豆のコーヒー抽出液抽出残渣を３０重量％以上の量で含有するものであることを特徴とする請求項１又は請求項２に記載の動物の排泄物処理材。
【請求項８】  造粒物が、焙煎コーヒー豆のコーヒー抽出液抽出残渣に、該コーヒー抽出液抽出残渣より夫々少ない量の配合物質、殺菌作用を有する物質及び着色物質を配合し、造粒して形成されていることを特徴とする請求項１又は請求項２に記載の動物の排泄物処理材。」
（ロ）「【０００１】
【発明の属する技術分野】本発明は、動物、特に猫科及び犬科動物並びにその他愛玩動物等の動物の粒状の排泄物処理材及びその製造方法に関し、特に、焙煎コーヒー豆からコーヒー抽出液を抽出する際に生じる抽出残渣、所謂、コーヒー抽出粕（以下、コーヒー抽出液抽出残渣という）の有効利用を図る、動物、特に猫科及び犬科動物並びにその他愛玩動物等の動物の粒状の排泄物処理材及びその製造方法に関する。」
（ハ）「【０００３】
【発明が解決しようとする課題】この種の愛玩動物の排泄物処理材は、例えば室内で使用されるところから、清潔で、衛生的であることが望まれ、使用後、清潔さ及び衛生上の点から、廃棄処理され易いのが望まれる。しかし、砂、ゼオライト、ベントナイトなどの無機物の場合は、使用時、砕けて埃となり易く、また、使用後放置する間に汚臭を発生しても、非可燃物であるため焼却処理を行うことができず、また下水等に流すこともできない。そこで、消臭効果が低く、価格が高いが、吸水能に優れ、可燃物であるところから、製紙用パルプ及び紙粉の小塊状成形物が使用されている。
【０００４】また、本発明者は、コーヒー抽出液抽出残渣が、大きい吸臭能を有する点に着目して、コーヒー抽出液抽出残渣を動物の排泄物処理材として有効利用することを提案した。・・・ところで、動物の排泄物処理材は、一般に、室内で使用されるために、衛生的な感じを与える色調であることが要求されている。本発明は、コーヒー抽出液抽出残渣のもつ褐色の色彩による動物排泄物処理材としての商品価値の低下に係る問題点を解決することを目的としている。」
（ニ）「【０００８】
【発明の実施の形態】・・・
【０００９】・・・本発明において、動物の排泄物処理材は、焙煎コーヒー豆のコーヒー抽出液抽出残渣を主として含有するので、造粒物の表面及び外観は、該コーヒー抽出液抽出残渣の本来有する褐色になっており、室内等において使用するのに、見た目が一見悪い。したがつて、本発明において、コーヒー抽出液抽出残渣は、このコーヒー抽出液抽出残渣の固有の色とは異なる色の着色物質により着色されるのが好ましい。例えば白色粉状の配合物質を、排泄物処理材の４０重量％以下の量、好ましくは、１０重量％以下の量で、造粒に先立って、該コーヒー抽出液抽出残渣に混合したり、該コーヒー抽出液抽出残渣の造粒物の表面にまぶしたりして、コーヒー抽出液抽出残渣の造粒物の色調を、コーヒー抽出液抽出残渣の色調と異なる色調に、例えば、略白色又は白色に近づかせるなどして、コーヒー抽出液抽出残渣の造粒物のコーヒー抽出液抽出残渣の色を緩和させることができる。」
（ホ）「【００１２】本発明において、コーヒー抽出液抽出残渣の着色乾燥造粒物に配合される配合物質としては、尿に触れて粉体粒子相互を接着させて、容易に塊を形成して、尿に触れた部分を容易に取り出し易くさせるように、接着機能を有する配合物質を配合するのが好ましい。このような配合物質には、水溶性又は水分散性の配合物質として、茶殻、おから、木屑、紙粉、シリカゲル、製紙用パルプ、製紙スラッジ、活性炭入りパルプ廃物、パルプスラッジ、・・・などがあり、これらは、単独で使用されるか、又はこれら２種以上を混合して配合物質として使用される。・・・
【００１３】本発明の動物の排泄物処理材においては、その吸水能及び保水機能を高めるための配合物質とし、粉状の高吸水性樹脂を配合することができる。本発明において配合される高吸水性樹脂は、該樹脂に対する、重量で数十倍から二千倍程度の水を吸収しても、形を保持できる樹脂であり、例えば、ビニルエステルとエチレン系不飽和カルボン酸又はその誘導体との共重合体鹸化物、澱粉とアクリル酸のグラフト重合体、ポリアクリル酸の架橋物、ビニルアルコールとアクリル酸の共重合体、ポリアクリロニトリルの部分加水分解物、カルボキシメチルセルロースの架橋物、ポリエチレングリコールの架橋物、キトサンの塩又はプルランのゲルなどがある。これら高級水性樹脂は、造粒に先立って、コーヒー抽出液抽出残渣の粒子に、単独で又は２種以上の混合物の形で配合することができる。
【００１４】本発明において、コーヒー抽出液抽出残渣の粒子には、造粒に先立って、粉状の配合物質を４０重量％以下の量で、好ましくは１０重量％以下の量で混合することができる。この場合、配合物質の色調は、本発明の動物の排泄物処理材の色調に合わせた色調とするのが好ましい。コーヒー抽出液抽出残渣の粒子が、造粒に先立って予め着色される場合には、配合物質の色調は、着色粒子の色調と混合して、単一色又は混合色とすることができる。しかし、本発明において、コーヒー抽出液抽出残渣の着色粒子の色調と配合物の色調とを一致させると、斑模様を避けることができるので好ましい。本発明において、配合物質は、コーヒー抽出液抽出残渣の着色又は未着色の粒子と混合して加えてもよく、また別途に加えても良いが、造粒物中で、コーヒー抽出液抽出残渣粒子と合体させるようにするのが好ましい。」
（ヘ）「【００２２】本発明において、ポリビニルアルコール及び／又は小麦粉が混合されている場合には、動物の排泄物に付着して、排泄物を塊状に包み込むこととなり、後始末が簡単かつ容易である。また、動物の排泄処理材中に補助脱臭剤及び／又は高吸水性樹脂が混合されている場合には、排泄物処理材として更に優れた脱臭性並びに吸水性及び保水性を発揮する。本発明は、従来、廃物とされて、その処理が問題とされていたコーヒー抽出液抽出残渣、茶殻、活性炭入りパルプ廃物、紙粉等の可燃性の廃物を、動物の排泄物処理材として有効に利用するものであり、しかも、主たる量を可燃物で構成するので、焼却等廃棄処理が容易である。
【００２３】本発明は、動物の排泄物処理材は、脱臭性に優れるコーヒー抽出液抽出残渣を主として含有し、１ｍｍ以上、好ましくは３ｍｍ以上の粒径の造粒物に、吸水性及び／又は脱臭性の配合物質と共に成形されるので、動物の排泄した尿の吸収が良く、また保水性が良く、消臭性が顕著に良好である。・・・」
（ト）「【００５９】例１７．含水率６０％のコーヒー抽出液抽出残渣１５ｋｇ及び水１．５ｋｇを、コーヒー抽出液抽出残渣供給用の原料タンク２に入れ、次いで着色物質として、紙粉６ｋｇを着色材供給用原料タンク４に入れ、これに次いで、配合物質として、ハイモ株式会社製の高吸水性樹脂ハイモサブ５００（登録商標）１ｋｇ、含水率８０％の茶殻５ｋｇ及び安息香酸１０ｇを配合物質供給用原料タンク６に入れ、以下、例７の場合と同様に、撹拌装置９に、含水させたコーヒー抽出液抽出残渣、着色物質の紙粉並びに配合物質の高吸水性樹脂ハイモサブ５００（登録商標）、茶殻及び安息香酸を入れて、白色と斑状に着色されたコーヒー抽出液抽出残渣配合物を製造し、これを口径６．０ｍｍのミートチョッパーに送り、造粒し、小さい円柱状の白色斑状の造粒物が形成された。
【００６０】造粒されたコーヒー抽出液抽出残渣の着色造粒物は、ネツトコンベヤ１８によつて、第１噴霧装置１９に送られ、第１噴霧ノズル２２から、粒径が０．５ｍｍ以下の紙粉が噴霧された。紙粉が噴霧された造粒物は、篩分け装置で余分の付着物が分離され、次いで、水が噴霧された。水が噴霧された造粒物は、続く第２噴霧装置（図示されていない）に送られ、第２噴霧ノズル（図示されていない）から、粒径が０．３ｍｍ以下の紙粉９０重量％及びハイモ株式会社製の高吸水性樹脂ハイモサブ５００（登録商標）１０重量％の混合物が噴霧された。２回目の紙粉が噴霧された造粒物は、篩分け装置で余分の付着物を分離され、次いで、水が噴霧された。２回目の水が噴霧された造粒物は、続く第３噴霧装置（図示されていない）に送られ、第３噴霧ノズル（図示されていない）から、粒径が０．１ｍｍ以下の紙粉８５重量％、ハイモ株式会社製の高吸水性樹脂ハイモサブ５００（登録商標）５重量％及びＣＭＣ１０重量％の混合物が噴霧された。３回目の紙粉が噴霧された造粒物は、篩分け装置で余分の付着物を分離され、次いで、プロピレングリコールの希釈溶液が噴霧され、続いて、熱風乾燥器に送られ、１００℃の温度で４０乃至５０分の間、熱風乾燥され、水分９％に乾燥された。乾燥されたコーヒー抽出液抽出残渣の着色乾燥造粒物は、１ｍｍ以上の粒径のものが分離されて、コンベヤ３６によつて取出され、主として、直径８ｍｍ、長さ１０ｍの猫のトイレ用の砂が得られた。
【００６１】室内において、この猫のトイレ用の砂３００ｇは、３５℃でアンモニア含有の食塩希釈溶液６００ｇを吸収し、非常に吸水性及び脱臭性が良好であり、室内にアンモニア臭を感じなかった。この猫のトイレ用の砂は、全体が白色を呈して清潔的であり、猫のトイレに厚さ３ｃｍの厚さに敷いて使用されたが、猫は普段と同様にトイレとして使用しており、使用の上で何等支障がなかった。猫が排泄に使用後、この猫のトイレ用の砂は、猫が排泄した部分については、表面が粘着しない割に、容易に均一な状態で固まり、ブロック化し、容易に取り出すことができた。しかも脱臭性に優れ、屋内に不快な臭い発生するのを避けることができた。しかも脱臭性に優れ、屋内に不快な臭い発生するのを避けることができた。」
　
　上記（イ）〜（ト）に記載された事項を総合すると、引用文献１には、次の発明（以下、「引用発明」という。）が記載されていると認められる。
「コーヒー抽出液抽出残渣と紙粉、木屑、茶殻、おからなどからなる配合物質及び殺菌作用を有する物質を含有して粒状に形成されている造粒物の表面に紙粉及び高吸水性樹脂が噴霧されることで付着した粒状の動物の排泄物処理材。」
　
（２−２）本願出願前に頒布された刊行物である、特開２０００−１９２３９６号公報（以下、「引用文献２」という。）には、「衛生用紙及びそれを使用する衛生シーツ並びにそれらの製造方法」に関して、次の記載がある。
（イ）「【特許請求の範囲】
【請求項１】  コーヒー液抽出残留廃液の乾燥物又はコーヒー液抽出残渣の浸出液の乾燥物或いはこれらの乾燥物の混合物を含有する薄葉紙で形成されていることを特徴とする衛生用紙。
【請求項２】  コーヒー液抽出残留廃液の乾燥物若しくはコーヒー液抽出残渣の浸出液の乾燥物又はこれら乾燥物の混合物と、お茶抽出残留廃液の乾燥物若しくは茶殻の浸出液の乾燥物又はこれら乾燥物の混合物とを含む混合物を含有する薄葉紙で形成されていることを特徴とする衛生用紙。」
（ロ）「【０００１】
【発明の属する技術分野】本発明は、コーヒー液抽出残留廃液の乾燥物又はコーヒー液抽出残渣の浸出液の乾燥物を含有する衛生用紙及びその製造方法に関し、特に、本発明は、有機物廃材を利用した、特に、トイレットペーパ、ティッシュペーパー、紙タオル用紙、テーブルナプキン、紙おむつ、生理用紙、化粧用紙等の衛生用紙及び該衛生用紙並びにその製造方法に関する。本発明は、コーヒー液抽出残留廃液又はコーヒー液抽出残渣の浸出液を含有する衛生用紙を使用する衛生シーツ、特に、、紙おむつ、生理用紙、化粧用紙等の衛生用紙及び該衛生用紙を使用する紙おむつ、寝具用補助シーツ、紙おむつ、動物用紙おむつ、生理用ナプキン、動物用生理用ナプキン、乳パッド、汗パッド、失禁パツド及び動物用シーツなどの衛生用品に使用できる衛生シーツ並びにその製造方法に関する。また、本発明は、長時間使用して衛生状態を保持することができる使い捨ての衛生用品に関し、特に、寝具用補助シーツ、紙おむつ、動物用紙おむつ、生理用ナプキン、動物用生理用ナプキン、乳パッド、汗パッド、失禁パツド及び動物用シーツに使用できる使い捨ての衛生用品及びその製造方法に関する。
【０００２】さらに、本発明は、人又は動物用の衛生用品に使用される衛生シーツに関し、特に、プラスチック廃材、紙廃材、例えば紙おむつ廃材、尿パッド廃材、生理用ナプキン廃材、動物用紙おむつ廃材又は動物用シーツ廃材或いはそれら廃材の粉砕物を利用した衛生用品、即ち寝具用補助シーツ、紙おむつ、動物用紙おむつ、生理用ナプキン、動物用生理用ナプキン、乳パッド、汗パッド、失禁パツド及び動物用シーツに使用できる衛生シーツに関する。さらにまた、本発明は、特に、就寝時、休養時及び排泄時に使用する使い捨て用の衛生用品に関する。」
（ハ）「【０００９】
【発明の実施の形態】本発明において、衛生用紙は、トイレットペーパー、紙タオル、ナプキン紙、化粧紙、ちり紙、ワッデイング（紙綿）、薄葉紙−等を意味し、木材パルプを原料とし、坪量２５ｇ以下で、例えば１４ｇ程度でドライクレープ加工された、柔軟で湿紙強さを有する薄葉紙を原料とする。また、本発明において、衛生用紙の使用時において、緑濃菌、連鎖球菌、黄色ブドウ球菌、レジオネラ菌、ポツリヌス菌等の細菌の増殖を避けるために、衛生用紙を構成する少なくとも一枚の薄葉紙に、コーヒー液抽出残留廃液の乾燥物若しくはコーヒー液抽出残渣の浸出液の乾燥物又はこれら乾燥物の混合物、或いはコーヒー液抽出残留廃液の乾燥物若しくはコーヒー液抽出残渣の浸出液の乾燥物又はこれら乾燥物の混合物並びにお茶抽出残留廃液の乾燥物若しくは茶殻の浸出液の乾燥物又はこれら乾燥物の混合物からなる混合物を含ませて製造される。・・・」
（ニ）「【００３８】例１
焙煎コーヒー豆４０ｇを４００ｍｌの沸騰水に１分間浸漬して、コーヒー液を抽出し、その全量を濾過した。３０秒を経過し、滴下量が少なくなったところでコーヒー液抽出残留廃液の採取を開始した。コーヒー液抽出残留廃液の量は約１５ｍｌであった。コーヒー液抽出残留廃液の滴下が停止したところで、濾紙上のコーヒー液抽出残渣は１０２ｇ（含水率７２％）であった。このように調製されたコーヒー液抽出残留廃液は、タンニンの含有量が、０．０７ｇ／１００ｇであり、亜鉛の含有量は３２μｇ／１００ｇであった。このコーヒー液抽出残留廃液は、１ｍ２当たり２０ｇのセルローズ繊維製の薄葉紙の４０ｃｍ×７５ｃｍを浸漬して、コーヒー液抽出残留廃液を含浸した薄葉紙を作製するのに使用された。
【００３９】例２
焙煎コーヒー豆４０ｇを４００ｍｌの沸騰水に１分間浸漬して、コーヒー液の全量を濾過した。濾紙上のコーヒー液抽出残留廃液を含有するコーヒー液抽出残渣は１０２ｇ（含水率７２％）であった。該コーヒー液抽出残渣１０６ｇに７０℃の温度の水２００ｍｌを加えて、１分間放置して、浸出液の全量を濾過した。コーヒー液の抽出残渣の浸出液は２００ｍｌであった。このように調製されたコーヒー液抽出残渣の浸出液は、タンニンの含有量が、０．０６ｇ／１００ｇであり、亜鉛の含有量は７μｇ／１００ｇであった。このコーヒー液抽出残渣の浸出液は、１ｍ２当たり２０ｇのパルプ繊維製の薄葉紙の８０ｃｍ×１５０ｃｍを浸漬して、コーヒー液抽出残渣の浸出液を含浸した薄葉紙を作製するのに使用された。
・・・
【００４２】例５
前記例１で調製されたコーヒー液抽出残留廃液と前記例３で調製されたウーロン茶の抽出残留廃液とを、等量宛混合して、コーヒー液抽出残留廃液とウーロン茶の抽出残留廃液との混合抽出残留廃液を調製した。このように調製された混合抽出残留廃液は、１ｍ２当たり２０ｇのパルプ繊維製の薄葉紙の４０ｃｍ×７５ｃｍを浸漬して、コーヒー液及びウーロン茶の抽出残留廃液を含浸した薄葉紙を作製するのに使用された。
【００４３】例６
前記例２で調製されたコーヒー液抽出残渣の浸出液と前記例４で調製されたウーロン茶の茶殻の浸出液とを、等量宛混合して、コーヒー液抽出残渣の浸出液と紅茶の茶殻の浸出液を混合した混合浸出液を調製した。このように調製された混合浸出液は、１ｍ２当たり２０ｇのパルプ繊維製の薄葉紙の８０ｃｍ×１５０ｃｍを浸漬して、コーヒー液抽出残渣の浸出液とウーロン茶の茶殻浸出液の等量混合とを含浸した薄葉紙を作製するのに使用された。」
（ホ）
「【００４９】例１１
本実施例は、図１に示す衛生シーツ１の構成を、動物用シーツに適用した事例である。図１において、３重量部のポリエチレンフィルムで不透水性膜層部２が設けられ、該不透水性膜層部２の上に、２．１重量部の吸水紙で吸水性の第二紙層部３が設けられ、該吸水性の第二紙層部３の上に、１７．６重量部の粒度３ｍｍ以下の紙おむつ粉砕粉で吸水性層部４が形成され、その上に、前記例２で調製されたコーヒー液抽出残渣の浸出液が含浸されている薄葉紙により作られている吸水紙で４．３重量部の吸水紙で吸水性の第一紙層部５が形成され、その上を、２．２重量部のポリプロピレン樹脂繊維製の不織布で覆って、透水性の不織布層部６が形成され、該透水性の不織布層部６の端部３６は、最下層の前記ポリエチレンフィルム２の端部とホットメルト接着剤を介してホットメルト接着されて、動物用シーツが形成される。
【００５０】本例においても、例１の場合と同様に、吸水性の第一紙層部５、吸水性層部４及び吸水性の第二紙層部３は、重ねられて、エンボス加工されて、シート状にされている。本例の動物用シーツは、使用前の燃焼熱が６４０８キロカロリー（ｋｃａｌ）／ｋｇであるが、子犬の五回の排尿量に相当する７５ｍｌの疑似尿で濡れた後のシーツの燃焼熱は１３５４ｋｃａｌ／ｋｇであり、燃焼不良にはならない。本例の衛生シーツ１は、不織布１００ｇあたり含有されているコーヒー液抽出残留廃液及びコーヒー液抽出残渣の浸出液の混合固形分が２．５ｇであり、７２時間後において、黄色ブドウ球菌、連鎖球菌及びレジオネラ菌の増殖を抑止した。」
　　
（３）対比 
 　本願補正発明と引用発明を対比すると、引用発明の「造粒物」、「粒状の動物用排泄物処理材」は、本願補正発明の「芯部」、「粒状の動物の排泄物処理材」にそれぞれ相当する。 
　そして、本願補正発明の「トイレットペーパー廃材」ないし「雑誌屑」は粉砕されて紙粉として用いられているのであり、引用文献１には「配合物質」として紙粉とともに「茶殻、おから、木屑、製紙用パルプ、製紙スラッジ、活性炭入りパルプ廃物、パルプスラッジ」といった動物の排泄物処理材の焼却処理を妨げないような各種の廃材を利用することについても明記されている（上記（２−１）の（ホ）の段落【００１２】参照）ことから、引用発明の「紙粉、木屑、茶殻、おからなどからなる配合物質」には各種の紙の廃材からの紙粉が当然含まれており、本願補正発明の「トイレットペーパー廃材、ティッシュペーパー廃材、化粧紙廃材、紙ナプキン廃材、ちり紙廃材、紙綿廃材、紙タオル廃材又は便座シート廃材等の動物用排泄物処理材の廃材、寝具用シーツ廃材、マスク廃材、アイマスク廃材、座席用ヘッドカバー廃材、枕カバー廃材、紙おむつ廃材、生理用ナプキン廃材、動物用紙おむつ廃材、動物用生理用ナプキン廃材、乳パッド廃材、汗パッド廃材、失禁パッド廃材、動物用シーツ廃材、鮮魚輸送用ラミネート紙廃材若しくは野菜輸送用ラミネート紙廃材、ラミネート紙の印刷屑、ラミネート紙の端屑、バフ粉、ダンボール屑、新聞屑、雑誌屑、木材屑、鉋屑若しくは不織布屑又はこれら二以上の廃材を含むもの」とは、実質的に同じ材料であるということができる。
　また、引用発明の「コーヒー抽出液抽出残渣」と本願補正発明の「コーヒー抽出液の乾燥固形物」とは、コーヒー抽出成分を含有するものである点で共通している。
　そして、引用発明の「紙粉及び高吸水性樹脂」は、「造粒物の表面に噴霧されることで付着」されるものであることから、造粒物の表面を被覆する被覆層部を形成しているものということができる。
　更に、引用発明の「（造粒物の表面に噴霧されることで付着される）紙粉」についても、上記「配合物質としての紙粉」と同様に、廃材を利用することができるものであるとともに、「紙粉」が繊維質を含んでいることは明らかなので、本願補正発明の「繊維質の廃棄物」に対応する関係にあるということができる。
  そうすると本願補正発明と引用発明とは、 
「トイレットペーパー廃材、ティッシュペーパー廃材、化粧紙廃材、紙ナプキン廃材、ちり紙廃材、紙綿廃材、紙タオル廃材又は便座シート廃材等の動物用排泄物処理材の廃材、寝具用シーツ廃材、マスク廃材、アイマスク廃材、座席用ヘッドカバー廃材、枕カバー廃材、紙おむつ廃材、生理用ナプキン廃材、動物用紙おむつ廃材、動物用生理用ナプキン廃材、乳パッド廃材、汗パッド廃材、失禁パッド廃材、動物用シーツ廃材、鮮魚輸送用ラミネート紙廃材若しくは野菜輸送用ラミネート紙廃材、ラミネート紙の印刷屑、ラミネート紙の端屑、バフ粉、ダンボール屑、新聞屑、雑誌屑、木材屑、鉋屑若しくは不織布屑又はこれら二以上の廃材を含むもの、及びコーヒー抽出成分を含有して粒状に形成されている芯部と、繊維質の廃棄物、吸水性樹脂を含有して前記芯部を被覆する被覆層部とを有して粒状に形成されている粒状の動物用排泄物処理材。」
　である点で一致し、以下の点で相違する。
　
［相違点１］芯部に含有されるコーヒー抽出成分が、本願補正発明では、０．３重量％以上のコーヒー抽出液の乾燥固形物であるのに対して、引用発明では、焙煎コーヒー豆のコーヒー抽出液抽出残渣である点。
［相違点２］本願補正発明では、０．３重量％以上のコーヒー抽出液の乾燥固形物が被覆層にも含有されているのに対して、引用発明では被覆層にはコーヒー抽出成分が含有されていない点。
　
（４）判断 
［相違点１について］
　コーヒー抽出残渣中にも、造粒に際して含水率の調整などが行われいることから、コーヒー液抽出残留廃液が含まれていることは明らかであって、粒状の動物用排泄物処理材にコーヒー抽出成分を含有させる際の形態として、引用発明のようにコーヒー抽出残渣として含有させるか、本願補正発明のようにコーヒー抽出液の乾燥固形物として含有させるかは、用いる材料（入手可能な廃材）の種類や特性、造粒作業の容易性などを考慮して、当業者が適宜選択することができる事項であるということができる。
　また、本願補正発明において、「
０．３重量％以上
さらに好ましくは０．３グラム以上、特に、０．３乃至３グラム含有されるのが好ましい。
０．３重量％以上
　そうすると、本願補正発明のように「０．３重量％以上のコーヒー抽出液の乾燥固形物」を用いることは、コーヒー抽出液の乾燥固形物が細菌などの繁殖を抑制するといった効果を発揮するために必要な数値範囲を規定していることに他ならず、そのような必要な数値範囲を設定することは、当業者が普通に発揮することができる能力の範囲内の事項であることから、用いるコーヒー抽出液の乾燥固形物に含まれるコーヒー抽出成分の濃度などに応じて、当業者が適宜設定することができる事項ということができる。
［相違点２について］
　引用発明では、芯部に殺菌作用を有する物質を含有させており、被覆層部に殺菌作用を有する物質を含有させることについて明記はされていないものの、動物用排泄物処理材において、被覆層部に殺菌作用を有する物質を含有させることは普通に行われている事項であることから、引用発明において、被覆層部にも「殺菌作用を有する物質」を含有させ、当該物質として、引用文献２に記載されているような「焙煎コーヒー豆のコーヒー液抽出残留廃液の乾燥物」を用いるようにすることは、当業者にとって想到容易な事項であるということができる。
　なお、その際に「
０．３重量％以上
　
　そして、本願補正発明の作用効果も、引用発明、および引用例２に記載の事項から当業者が予測できる範囲のものである。 
 　したがって、本願補正発明は、引用発明、および引用例２に記載の事項に基づいて、当業者が容易に発明をすることができたものであるから、特許法第２９条第２項の規定により特許出願の際独立して特許を受けることができないものである。 
 　 
 （５）むすび 
 　以上のとおり、本件補正は、平成１８年改正前特許法第１７条の２第５項において準用する同法第１２６条第５項の規定に違反するものであり、同法第１５９条第１項で準用する同法第５３条第１項の規定により却下されるべきものである。 
　
３．本願発明について
　平成１８年３月２８日付の手続補正は上記のとおり却下されたので、本願の請求項１〜１０に係る発明は、平成１７年２月２４日付手続補正書の特許請求の範囲の請求項１〜１０に記載された事項により特定されるとおりのものであり、そのうち請求項１に係る発明は、次のとおりのものである。
「【請求項１】　トイレットペーパー廃材、ティッシュペーパー廃材、化粧紙廃材、紙ナプキン廃材、ちり紙廃材、紙綿廃材、紙タオル廃材又は便座シート廃材等の動物用排泄物処理材の廃材、寝具用シーツ廃材、マスク廃材、アイマスク廃材、座席用ヘッドカバー廃材、枕カバー廃材、紙おむつ廃材、生理用ナプキン廃材、動物用紙おむつ廃材、動物用生理用ナプキン廃材、乳パッド廃材、汗パッド廃材、失禁パッド廃材、動物用シーツ廃材、鮮魚輸送用ラミネート紙廃材若しくは野菜輸送用ラミネート紙廃材、ラミネート紙の印刷屑、ラミネート紙の端屑、バフ粉、ダンボール屑、新聞屑、雑誌屑、木材屑、鉋屑若しくは不織布屑又はこれら二以上の廃材を含むもの、及び０．１重量％以上のコーヒー抽出液の乾燥固形物を含有して粒状に形成されている芯部と、繊維質の廃棄物、吸水性樹脂及び０．１重量％以上のコーヒー抽出液の乾燥固形物を含有して前記芯部を被覆する被覆層部とを有して粒状に形成されていることを特徴とする粒状の動物用排泄物処理材。」
（以下、請求項１に係るの発明を「本願発明１」という。）
　
（１）引用文献
　原査定の拒絶の理由に引用された引用文献１，２、およびその記載事項は、前記「２．（２）」に記載したとおりである。
　
（２）対比・判断
　本願発明１は、前記２．で検討した本願補正発明の発明を特定するために必要な事項である「コーヒー抽出液の乾燥固形物」について、「０．３重量％以上」から、「０．１重量％以上」に数値範囲を拡張したものである。
　そうすると、本願発明１の構成要件の「コーヒー抽出液の乾燥固形物」について、より数値範囲を限定したものに相当する本願補正発明が、前記２．（４）に記載したとおり、引用発明および引用文献２に記載された事項に基づいて、当業者が容易に発明をすることができたものであるから、本願発明も同様の理由により、引用発明および引用文献２に記載された事項に基づいて、当業者が容易に発明をすることができたものである。 
 　 
 （３）むすび 
 　以上のとおり、本願発明１は、引用発明および引用文献２に記載された事項に基づいて、当業者が容易に発明をすることができたものであるから、本願の他の請求項に係る発明を検討するまでもなく、特許法第２９条第２項の規定により特許を受けることができない。
 　よって、結論のとおり審決する。